(57)【要約】【課題】  浴槽エプロンの着脱が、工具を使用せずに、簡単に行うことができる浴槽及び浴槽エプロンの固定方法を提供する。【解決手段】  上縁部の端から垂直に下がる垂下部を有する浴槽であって、上縁部の裏面に直接または間接に取り付け上方へ付勢するバネを有し、浴槽エプロンの上部水平部を垂下部の下端とバネとの間に差し込んで固定することを特徴とする浴槽である。【選択図】  図１
2005287677.tif 000002
【特許請求の範囲】
【請求項１】
上縁部の端から垂直に下がる垂下部を有する浴槽であって、上縁部の裏面に直接または間接に取り付け上方へ付勢するバネを有し、浴槽エプロンの上部水平部を垂下部の下端とバネとの間に差し込んで固定することを特徴とする浴槽。
【請求項２】
浴槽エプロンが前板部とその上端に接続する上部水平部とからなり、前板部の下端から所定距離だけ離れた位置から上方の前板部の裏面に面ファスナーを取り付け、
浴槽が上縁部の端から垂直に下がる垂下部を有し、上縁部の下方にバネを取り付け上方へ付勢し、
浴室床に受面ファスナーを貼り付けた取り付け金具を直立し、
浴槽エプロンの上部水平部を浴槽の垂下部の下端とバネとの間に差し込んで固定するとともに、取り付け金具の受面ファスナーと浴槽エプロンの面ファスナーを係止して固定する、
浴槽エプロンの固定方法。
【請求項３】
所定距離が５〜１５ｍｍである請求項２に記載の浴槽エプロンの固定方法。
【発明の詳細な説明】
【技術分野】
【０００１】
本発明はシステムバスルーム等に設置される浴槽に関する。また本発明は当該浴槽の洗い場側に取り付けられる浴槽エプロンの固定方法に関する。
【背景技術】
【０００２】
図４は従来の浴槽及び浴槽エプロンの断面図である。
【０００３】
浴槽２の上縁部２１はフランジとも呼ばれており、その外側端から垂下部２０が下がり、その内側端から浴槽側面２２が斜めに下がっている。
【０００４】
一方、浴槽エプロン１は前板部１０の上端に中間水平部１４を設け、さらに垂直上方へ伸びる上部垂直部１６を設けている。すなわち、浴槽エプロン１の上部はＺ字状となっている。
【０００５】
そして、浴槽床１５には、Ｌ字形の取り付け金具の一面９１を接触させて取り付ける。
【０００６】
浴槽エプロン１の上部を浴槽の垂下部２０へ差し込んで、上部垂直部１３が垂下部２０の裏面２０ｃの背後に入り、中間水平部１４の外面１４ａが浴槽２の垂下部２０の下端面２０ｂに当接するようにする。そして浴槽エプロン１の下部と取り付け金具の他面９２とをビス５１で固定する。
【特許文献１】特開平７−５１１７５
【特許文献２】特開平１０−１３７１４８
【発明の開示】
【発明が解決しようとする課題】
【０００７】
しかしながら、浴槽の垂下部２０の下端面２０ｂの位置や平面度が切断後に変形してしまう。また、浴槽エプロンの上部も変形するおそれがある。そのために、浴槽の垂下部と浴槽エプロンの中間水平部との間に隙間が生じやすい。
【０００８】
そこで、施工時には、浴槽エプロンを上方へ押し上げつつ、浴槽エプロンの下部と取り付け金具に現場で穴空けを行い、続いてビス止めして固定していた。そのため、現場に穴空け用工具を持ってゆく必要があり、施工が不便であり、また、浴槽エプロンを押し上げつつ、現場で穴空けを行わなければならず、施工が困難であった。しかし、浴槽の垂下部と浴槽エプロンの中間水平部との間には隙間が生じやすく問題であった。
【０００９】
そこで、本発明の目的は、浴槽エプロンの着脱が、工具を使用せずに、簡単に行うことができる浴槽及び浴槽エプロンの固定方法を提供することである。
【課題を解決するための手段】
【００１０】
上記目的は、請求項１に記載の本発明に係る浴槽、すなわち、上縁部の端から垂直に下がる垂下部を有する浴槽であって、垂下部の下端と同一水平面上で浴槽エプロンの上部水平部の下面に当接し、上方へ付勢するバネを有し、浴槽エプロンの上部水平部を垂下部の下端とバネとの間に差し込んで固定することを特徴とする浴槽によって、達成される。
【００１１】
また、上記目的は、請求項２に記載の本発明に係る浴槽エプロンの固定方法、すなわち、浴槽エプロンが前板部とその上端に接続する上部水平部とからなり、前板部の下端から所定距離だけ離れた位置から上方の前板部の裏面に面ファスナーを取り付け、浴槽が上縁部の端から垂直に下がる垂下部を有し、上縁部の下方にバネを取り付け上方へ付勢し、浴室床に受面ファスナーを貼り付けた取り付け金具を直立し、浴槽エプロンの上部水平部を浴槽の垂下部の下端とバネとの間に差し込んで固定するとともに、取り付け金具の受面ファスナーと浴槽エプロンの面ファスナーを係止して固定する、浴槽エプロンの固定方法によっても達成される。
【００１２】
本発明に係る浴槽エプロンの固定方法の好ましい実施態様によれば、当該所定距離が５〜１５ｍｍである。
【発明の効果】
【００１３】
本発明によれば、バネによって浴槽エプロンの上部水平部を上方へ常に押し上げているので、浴槽の垂下部の下端との間に隙間がほとんど生じることがなく、水などが入り込みにくいという効果が得られる。
【００１４】
また、本発明によれば、現場で工具を使用することなく、簡単に浴槽エプロンを着脱することができるという効果が得られる。
【００１５】
さらに、本発明によれば、浴槽の設置による高さのばらつきを浴槽エプロンの下方に取り付けた面ファスナーの位置によって対応することができるので、現場での浴槽エプロンの固定が容易であるという効果が得られる。
【発明を実施するための最良の形態】
【００１６】
以下、本発明の浴槽及び浴槽エプロンの固定方法の実施形態について、添付図面を参照して説明する。
【００１７】
第１実施形態
図１は本発明の第１実施形態の浴槽上部の断面図である。
【００１８】
浴槽２の上縁部２１の外側端から垂下部２０が下がり、その内側端から浴槽側面２２が斜めに下がっている。２１ａは上縁部２１の表面であり、２１ｂは上縁部２１の裏面である。また、２０ａは垂下部２０の外面であり、２０ｂは垂下部２０の下端面であり、２０ｃは垂下部２０の裏面である。
【００１９】
上縁部２１の裏面２１ｂに取り付け部材３を接着固定し、取り付け部材３の下面にバネ鋼板４の取り付け部４ａを接触させてビス５によってネジ止め、固定している。
【００２０】
バネ鋼板４は取り付け部４ａの一端に垂下部４ｂが連続し、さらに第１傾斜部４ｃ及び第２傾斜部４ｅが順次連続しており、第１傾斜部４ｃと第２傾斜部４ｅとの間に当接部４ｄがある。バネ鋼板４の幅は１０〜３０ｍｍであり、厚さは０．６〜１．０ｍｍである。バネ鋼板４は間隔を置いて取り付けられており、浴槽の上縁部２１の裏面２１ｂに少なくとも２個取り付けられている。バネ鋼板４の垂下部４ｂと第１傾斜部４ｃとの角によって、当接部４ｄにおいて上方へ付勢する構造となっている。バネ鋼板４の当接部４ｄは、浴槽２の垂下部２０の下端面２０ｂとほぼ同一の水平面内にある。
【００２１】
バネの他の実施形態としては、つる巻きバネで上方へ付勢する構成やわん曲した板バネによって上方へ付勢する構成に変更することができる。
【００２２】
浴槽エプロン１は前板部１０の上端に上部水平部１１が接続している。
【００２３】
浴槽エプロン１の上部水平部１１を浴槽２の垂下部２０の下端面２０ｂとバネ鋼板４の当接部４ｄとの間に差し込むと浴槽エプロン１の上部水平部１１は上方へ押し上げられ浴槽２の垂下部２０の下端面２０ｂと密接して隙間がほとんど生じない。
【００２４】
図３は本発明の第１実施形態または第２実施形態の浴槽エプロンの下部の断面図である。
【００２５】
断面がＬ字形の取り付け金具の一面８１を浴室床に間隔を置いて複数個固定し、取り付け金具の他面８２を直立させる。他面８２の外面８２ａには受面ファスナー７を貼り付けてある。受面ファスナー７の最下端と浴槽床との距離は１２〜１７ｍｍであるのが好ましい。
【００２６】
一方、浴槽エプロン１の下部板部１３の裏面１３ｂに面ファスナー６を貼り付けてある。面ファスナー６の最下端と下部板部１３の最下端との距離は５〜１５ｍｍであるのが好ましい。
【００２７】
浴槽の設置により高さのばらつきが生ずるが、図２（ａ）は設計高さからの差が０ｍｍの場合を示し、（ｂ）は設計高さからの差が＋２ｍｍの場合を示し、（ｃ）は設計高さからの差が−２ｍｍの場合を示す。設計高さからの差が−５ｍｍから＋５ｍｍの間であれば、何ら現場で付加的作業をすることなく、面ファスナー６と受面ファスナー７とを係止して浴槽エプロン１を固定することができる。
【００２８】
第２実施形態
図２は本発明の第２実施形態の浴槽上部の断面図である。
【００２９】
浴槽２の構造は第１実施形態とほぼ同じである。
【００３０】
浴槽エプロン１の上部水平部１１の端近くに肉厚部１１ｃが形成されている点が第１実施形態と異なっている。肉厚部１１ｃは頂点から端に近づくにしたがって急激に薄くなり、逆に頂点から前板部１０へ向かうにしたがって徐々に薄くなっている。そのため、浴槽エプロン１の上部水平部１１を浴槽２の垂下部２０の下端面２０ｂとバネ鋼板４の当接部４ｄとの間に差し込みやすく、係合しやすいが、浴槽エプロン１を引き抜こうとすると、肉厚部１１ｃがひっかかって抜けにくい。引き抜く際には、浴槽エプロンの下部を初めに分離し、下部をわずかに手前に引いて回転させた後に、全体を手前に引くとバネ鋼板４と浴槽エプロン１とを分離することができる。
【産業上の利用可能性】
【００３１】
本発明に係る浴槽及び浴槽エプロンの固定方法は、システムバスルーム等における浴室カウンターの下カバーやエプロンへも使用することができる。
【図面の簡単な説明】
【００３２】
【図１】本発明の第１実施形態の浴槽上部の断面図である。
【図２】本発明の第２実施形態の浴槽上部の断面図である。
【図３】本発明の第１実施形態または第２実施形態の浴槽エプロンの下部の断面図である。
【図４】従来の浴槽及び浴槽エプロンの断面図である。
【符号の説明】
【００３３】
１      浴槽エプロン
１０    前板部
１１    上部水平部
１１ｃ  肉厚部
１３    下部板部
１３ｂ  裏面
１４    中間水平部
１４ａ  外面
１５    浴槽床
１６    上部垂直部
２      浴槽
２０    垂下部
２０ａ  外面
２０ｂ  下端面
２０ｃ  裏面
２１    上縁部
２１ａ  表面
２１ｂ  裏面
２２    浴槽側面
３      取り付け部材
４      バネ鋼板
４ａ    取り付け部
４ｂ    垂下部
４ｃ    第１傾斜部
４ｄ    当接部
４ｅ    第２傾斜部
５      ビス
５１    ビス
６      面ファスナー
７      受面ファスナー
８１    一面
８２    他面
８２ａ  外面
９１    一面
９２    他面
【図１】
2005287677.tif 000003
【図２】
2005287677.tif 000004
【図３】
2005287677.tif 000005
【図４】
2005287677.tif 000006